(57)【要約】【課題】前面パネルの空気吸い込み口から吸い込んだ空気が前記前面パネルの斜め前方に向いた左右側壁に形成した空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置された床置き式空気調和機が冷房運転されるとき、前記空気吹き出し口周辺の表面の結露水が、下方に流下して、空気吸い込み口のフィルタやその他の部分を濡らす問題を解決する。【解決手段】前面パネルの斜め前方に向いた左右側壁に形成した空気吹き出し口周辺の表面の結露水を熱交換器の結露水を受けるドレンパンに導入するよう、左右側壁を表側から裏側へ貫通した排水孔を形成したこと。【選択図】図９
2008175459.tif 000002
【特許請求の範囲】
【請求項１】
前面パネルの空気吸い込み口から吸い込んだ空気が前記前面パネルの斜め前方に向いた左右側壁に形成した空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置され、前記送風装置は前記空気吸い込み口から吸い込んだ空気の入口と前記熱交換器へ空気を送出する出口を備えたファンケーシング内にファンが収納された形態であり、前記熱交換器の下端部は前記ファンケーシングの前面上部と前記前面パネルとの空間に配置したドレンパンの上面開口に臨み、前記熱交換器を通過した空気が前記前面パネルの前壁の裏側に衝突して左右の前記空気吹き出し口から吐出され、前記空気吹き出し口下部の前記左右側壁の表面の結露水を前記ドレンパンに導入する構成であることを特徴とする床置き式空気調和機。
【請求項２】
前記空気吹き出し口下部の前記左右側壁の表面の結露水を前記ドレンパンに導入する排水孔が前記左右側壁を貫通して形成されたことを特徴とする請求項１に記載の床置き式空気調和機。
【請求項３】
空気調和機本体の前面に配置した前面パネルは、空気吸い込み口を形成した下部前面パネルと空気吹き出し口を斜め前方に向いた左右側壁に形成した上部前面パネルを備え、前記空気吸い込み口から前記空気吹き出し口へ連通するよう前記空気調和機本体内に形成した空気通路には、前記下部前面パネルの後方に送風装置が配置され、前記上部前面パネルの後方に熱交換器が配置され、前記送風装置は空気の入口を前面に備え空気の出口を上面に備えたファンケーシング内にモータで駆動されるシロッコファンが収納された形態であり、前記熱交換器は空気流入面が前記ファンケーシングの空気の出口の上方に斜めに相対面するよう下部に対して上部が後方へ傾く傾斜設置であり、前記熱交換器の真下にドレンパンが配置され、前記熱交換器を通過した空気が前記前面パネルの前壁の裏側に衝突して左右の前記空気吹き出し口から吐出される床置き式空気調和機において、前記空気吹き出し口下部の前記左右側面の表面の結露水を前記左右側面の裏側に導く排水孔が前記左右側面を貫通して形成され、前記左右側面の裏側に導かれた結露水を受けるように前記ドレンパンの前端部が前記下部前面パネルの上端部に進入状態であることを特徴とする床置き式空気調和機。
【請求項４】
空気調和機本体の前面に配置した前面パネルは、空気吸い込み口を形成した下部前面パネルと空気吹き出し口を斜め前方に向いた左右側壁に形成した上部前面パネルを備え、前記空気吸い込み口から前記空気吹き出し口へ連通するよう前記空気調和機本体内に形成した空気通路には、前記下部前面パネルの後方に送風装置が配置され、前記上部前面パネルの後方に熱交換器が配置され、前記送風装置は空気の入口を前面に備え空気の出口を上面に備えたファンケーシング内にモータで駆動されるシロッコファンが収納された形態であり、前記熱交換器は空気流入面が前記ファンケーシングの空気の出口の上方に斜めに相対面するよう下部に対して上部が後方へ傾く傾斜設置であり、前記熱交換器の真下にドレンパンが配置され、前記熱交換器を通過した空気が前記前面パネルの前壁の裏側に衝突して左右の前記空気吹き出し口から吐出される床置き式空気調和機において、前記上部前面パネルの左右側壁には上下方向に長く縦長の窪みが形成され、この窪みは下部が閉塞板部でその上部に縦長の前記空気吹き出し口が形成され、前記窪みには、閉じたとき前記縦長の窪みに嵌まり開いたとき前記空気吹き出し口が開放するよう電動モータで駆動される吹き出し口フラップが設けられ、前記窪みの下端部には、前記閉塞板部を流下する結露水を前記上部前面パネルの裏側に導く排水孔が形成され、前記ドレンパンは、前記排水孔に導かれた結露水を受ける位置まで左右幅を大きくしたことを特徴とする床置き式空気調和機。
【請求項５】
前記縦長の窪みの上下長さの略三分の一が閉塞板部であり略三分の二が前記空気吹き出し口であることを特徴とする請求項４に記載の床置き式空気調和機。
【請求項６】
前記排水孔には前記結露水を前記ドレンパンへ導く導水部を前記下部前面パネルの裏側に一体成形したことを特徴とする請求項４または請求項５に記載の床置き式空気調和機。
【発明の詳細な説明】
【技術分野】
【０００１】
本発明は、空気吸い込み口から吸い込んだ空気が空気吹き出し口へ流れる空気通路に、熱交換器と、前記空気吸い込み口から吸い込んだ空気を前記熱交換器へ送出する送風機が配置された床置き式空気調和機に関する。
【背景技術】
【０００２】
床置き式空気調和機として、床置き式空気調和機の本体をするケーシングの前面に、このケーシングの上下方向の全体に渡って前面パネルが設けられ、前面パネルの左右部分には左右傾斜面が形成され、この左右傾斜面の下半分とケーシングの左右側面に空気吸い込み口が形成され、この左右傾斜面の上半分に空気吹き出し口が形成されている。そして、空気吹き出し口には、空気の吹き出し方向を上下に変更する水平フラップ部と、空気の吹き出し方向を横方向に変更する垂直フラップ部が設けられたものがある。（例えば、特許文献１参照）。
【特許文献１】特開２００３−３４３８７１号公報
【発明の開示】
【発明が解決しようとする課題】
【０００３】
この床置き式空気調和機が冷房運転されるとき、熱交換器で冷却された冷気が空気吹き出し口から吹き出す空気の吹き出し方向は、水平フラップ部と垂直フラップ部によって、上下方向と横方向に変更することができるが、湿度の多い環境においては、空気吹き出し口周辺が冷却されることによって、前面パネルの表面に結露水が発生し、この結露水が流下して下方の空気吸い込み口に設けたフィルタやその他の部分を濡らし、また、床置き式空気調和機が設置された床面を濡らすことが懸念される。
【０００４】
本発明は、このような点に鑑み、前面パネルの空気吹き出し口周辺に発生する結露水を熱交換器から流下する結露水を受けるドレンパンで受けるように構成して、上記のような問題を解決するものである。
【課題を解決するための手段】
【０００５】
第１の発明の床置き式空気調和機は、前面パネルの空気吸い込み口から吸い込んだ空気が前記前面パネルの斜め前方に向いた左右側壁に形成した空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置され、前記送風装置は前記空気吸い込み口から吸い込んだ空気の入口と前記熱交換器へ空気を送出する出口を備えたファンケーシング内にファンが収納された形態であり、前記熱交換器の下端部は前記ファンケーシングの前面上部と前記前面パネルとの空間に配置したドレンパンの上面開口に臨み、前記熱交換器を通過した空気が前記前面パネルの前壁の裏側に衝突して左右の前記空気吹き出し口から吐出され、前記空気吹き出し口下部の前記左右側壁の表面の結露水を前記ドレンパンに導入する構成であることを特徴とする。
【０００６】
第２の発明の床置き式空気調和機は、第１発明において、前記空気吹き出し口下部の前記左右側壁の表面の結露水を前記ドレンパンに導入する排水孔が前記左右側壁を貫通して形成されたことを特徴とする。
【０００７】
第３の発明の床置き式空気調和機は、空気調和機本体の前面に配置した前面パネルは、空気吸い込み口を形成した下部前面パネルと空気吹き出し口を斜め前方に向いた左右側壁に形成した上部前面パネルを備え、前記空気吸い込み口から前記空気吹き出し口へ連通するよう前記空気調和機本体内に形成した空気通路には、前記下部前面パネルの後方に送風装置が配置され、前記上部前面パネルの後方に熱交換器が配置され、前記送風装置は空気の入口を前面に備え空気の出口を上面に備えたファンケーシング内にモータで駆動されるシロッコファンが収納された形態であり、前記熱交換器は空気流入面が前記ファンケーシングの空気の出口の上方に斜めに相対面するよう下部に対して上部が後方へ傾く傾斜設置であり、前記熱交換器の真下にドレンパンが配置され、前記熱交換器を通過した空気が前記前面パネルの前壁の裏側に衝突して左右の前記空気吹き出し口から吐出される床置き式空気調和機において、前記空気吹き出し口下部の前記左右側面の表面の結露水を前記左右側面の裏側に導く排水孔が前記左右側面を貫通して形成され、前記左右側面の裏側に導かれた結露水を受けるように前記ドレンパンの前端部が前記下部前面パネルの上端部に進入状態であることを特徴とする。
【０００８】
第４の発明の床置き式空気調和機は、空気調和機本体の前面に配置した前面パネルは、空気吸い込み口を形成した下部前面パネルと空気吹き出し口を斜め前方に向いた左右側壁に形成した上部前面パネルを備え、前記空気吸い込み口から前記空気吹き出し口へ連通するよう前記空気調和機本体内に形成した空気通路には、前記下部前面パネルの後方に送風装置が配置され、前記上部前面パネルの後方に熱交換器が配置され、前記送風装置は空気の入口を前面に備え空気の出口を上面に備えたファンケーシング内にモータで駆動されるシロッコファンが収納された形態であり、前記熱交換器は空気流入面が前記ファンケーシングの空気の出口の上方に斜めに相対面するよう下部に対して上部が後方へ傾く傾斜設置であり、前記熱交換器の真下にドレンパンが配置され、前記熱交換器を通過した空気が前記前面パネルの前壁の裏側に衝突して左右の前記空気吹き出し口から吐出される床置き式空気調和機において、前記上部前面パネルの左右側壁には上下方向に長く縦長の窪みが形成され、この窪みは下部が閉塞板部でその上部に縦長の前記空気吹き出し口が形成され、前記窪みには、閉じたとき前記縦長の窪みに嵌まり開いたとき前記空気吹き出し口が開放するよう電動モータで駆動される吹き出し口フラップが設けられ、前記窪みの下端部には、前記閉塞板部を流下する結露水を前記上部前面パネルの裏側に導く排水孔が形成され、前記ドレンパンは、前記排水孔に導かれた結露水を受ける位置まで左右幅を大きくしたことを特徴とする。
【０００９】
第５発明の床置き式空気調和機は、第４発明において、前記縦長の窪みの上下長さの略三分の一が閉塞板部であり略三分の二が前記空気吹き出し口であることを特徴とする。
【００１０】
第６の発明の床置き式空気調和機は、第４発明または第５発明において、前記排水孔には前記結露水を前記ドレンパンへ導く導水部を前記下部前面パネルの裏側に一体成形したことを特徴とする。
【発明の効果】
【００１１】
第１の発明は、空気吹き出し口下部の左右側壁の表面の結露水は、熱交換器の結露水を受けるドレンパンに導入されるため、この結露水が流下して下方の空気吸い込み口に設けたフィルタやその他の部分を濡らし、また、床置き式空気調和機が設置された床面を濡らすことを防止できる。
【００１２】
第２の発明では、空気吹き出し口下部の左右側壁の表面の結露水は、排水孔から前面パネルの裏側へ流れて下方の熱交換器の結露水を受けるドレンパンへ入る。このため、この結露水が流下して、下方の空気吸い込み口に設けたフィルタやその他の部分を濡らし、また、床置き式空気調和機が設置された床面を濡らすことを防止できる。
【００１３】
第３の発明では、熱交換器の結露水を受けるドレンパンの前端部が、下部前面パネルの上端部に進入状態であるため、排水孔から上部前面パネルの左右側面の裏側を流下する結露水を良好にドレンパンに導入できるものとなる。このため、この結露水が流下して、下方の空気吸い込み口に設けたフィルタやその他の部分を濡らし、また、床置き式空気調和機が設置された床面を濡らすことを防止できる。
【００１４】
第４の発明では、上部前面パネルの左右側壁に形成した縦長の窪みの上部が縦長の空気吹き出し口であり、その下部が閉塞板部で構成し、縦長の吹き出し口フラップでこの窪みを開閉する場合、閉塞板部を流下する結露水は、下部の排水孔から上部前面パネルの裏側へ導かれるが、熱交換器の結露水を受けるドレンパンは、排水孔に導かれた結露水を受ける位置まで左右幅を大きくしているため、この結露水を良好にドレンパンに導入できるものとなる。このため、この結露水が流下して、下方の空気吸い込み口に設けたフィルタやその他の部分を濡らし、また、床置き式空気調和機が設置された床面を濡らすことを防止できる。
【００１５】
第５の発明では、第４発明の効果に加えて、縦長の窪みの上下長さの略三分の一が閉塞板部４１であり、略三分の二が空気吹き出し口４であることによって、空気調和に必要な十分な大きさの空気吹き出し口を上部位置に配置し、デザイン的にもバランスのとれた優れたものとなる。
【００１６】
第６の発明では、第４発明または第５発明の効果に加えて、排水孔には結露水をドレンパンへ導く導水樋部を下部前面パネルの裏側に一体成形したことにより、排水孔からドレンパンへの結露水の導入が良好となると共に、排水孔に別ものの結露水案内部材を取り付ける場合に比して、組み立てや部品点数が少なく、コスト面でも優れたものとなる。
【発明を実施するための最良の形態】
【００１７】
本発明の床置き式空気調和機は、前面パネルの空気吸い込み口から吸い込んだ空気が前記前面パネルの斜め前方に向いた左右側壁に形成した空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置され、前記送風装置は前記空気吸い込み口から吸い込んだ空気の入口と前記熱交換器へ空気を送出する出口を備えたファンケーシング内にファンが収納された形態であり、前記熱交換器の下端部は前記ファンケーシングの前面上部と前記前面パネルとの空間に配置したドレンパンの上面開口に臨み、前記熱交換器を通過した空気が前記前面パネルの前壁の裏側に衝突して左右の前記空気吹き出し口から吐出され、前記空気吹き出し口下部の前記左右側壁の表面の結露水を前記ドレンパンに導入する構成であり、以下に本発明の実施形態を記載する。
【実施例１】
【００１８】
次に、本発明の第１の実施形態について説明する。図１は本発明に係る床置き式空気調和機の正面図、図２は本発明に係る床置き式空気調和機と室外機の関係を示す斜視図、図３は本発明に係る床置き式空気調和機の空気吸い込み口と空気吹き出し口に設けた開閉フラップが開いた状態の説明用正面斜視図、図４は図１のＡ−Ａ箇所の断面図、図５は本発明に係る床置き式空気調和機の下部前面パネルを開いた状態の空気調和機の前面斜視図、図６は本発明に係る床置き式空気調和機の送風装置と前面パネルの関係を示す背面斜視図、図７は図１のＢ−Ｂ箇所の断面拡大図、図８は本発明に係る床置き式空気調和機のドレンパン部分を説明する縦断側面図、図９は本発明に係る床置き式空気調和機の空気吹き出し口に設けた開閉フラップが開いた状態の拡大正面斜視図、図１０は本発明に係る床置き式空気調和機の空気吹き出し口部の結露水の排水部の拡大図、図１１は本発明に係る床置き式空気調和機の空気吹き出し口部の結露水の排水部を説明する断面図である。
【００１９】
図において、本発明に係る床置き式空気調和機１は、室内の床に設置されるタイプであり、冷媒の圧縮機と凝縮器とこれらの熱交換用送風機５１等を収納した室外機５０とで一組の分離型空気調和装置を構成するものであり、空気調和機１と室外機５０とは、空気調和機本体２の側面の一方の孔１Ａを通って、電気配線５３と断熱材で覆われた冷媒配管５２とで連結された状態である。孔１Ａは空気調和機本体２の左右側面に形成されており、いずれかを選択できるようになっている。
【００２０】
空気調和機１は、空気吸い込み口３から吸い込んだ空気が空気吹き出し口４へ流れる空気通路に、空気流入面が下側となるように下部に対して上部が後方へ傾くように傾斜設置した熱交換器５と、空気吸い込み口３から吸い込んだ空気を熱交換器５の空気流入面へ送出する送風装置６が配置されている。送風装置６は、空気吸い込み口３から吸い込んだ空気の入口７と熱交換器５へ空気を送出する出口８を備えたファンケーシング９内にファン１０が収納された形態である。空気調和機本体２には、熱交換器５の下端部がドレンパン２５の上面開口に臨むように、熱交換器５の下端部の真下にドレンパン２５が配置され、熱交換器５から流下する露をドレンパン２５で受ける。
【００２１】
以下に、空気調和機１を具体的に説明する。空気調和機１は、前面開口２Ａの空気調和機本体２と、空気調和機本体２に取り付けた前面パネル１１によって空気調和機本体２の前面開口２Ａを覆った、縦長形状をなしている。前面パネル１１に空気吸い込み口３と空気吹き出し口４が形成されているが、前面パネル１１は、空気吸い込み口３が斜め前方に向いた左右側壁に縦長に形成された下部前面パネル１１Ａと、空気吹き出し口４が斜め前方に向いた左右側壁に左右側面と上側面に形成された上部前面パネル１１Ｂで構成されている。吸い込み口フラップ１６の後方で空気吸い込み口３の裏側には、空気中の塵埃を捕捉するフィルタ３Ｆが着脱自在に取り付けられている。下部前面パネル１１Ａと上部前面パネル１１Ｂは、それぞれ前壁と左右側壁を一体成形した合成樹脂の成形体である。
【００２２】
空気吸い込み口３から空気吹き出し口４へ連通するように、空気調和機本体２内に形成した空気通路には、下部前面パネル１１Ａの後方に送風装置６が配置され、上部前面パネル１１Ｂの後方には熱交換器５が配置される。送風装置６は、空気の入口７を前面に備え空気の出口８を上面に備えたファンケーシング９内に、電動モータ１２で駆動されるシロッコファン１０が収納された形態である。シロッコファン１０は、仕切り坂１０Ａの周縁部に多数の羽根１０Ｂが等間隔で円形状に配置された周知の形態であり、回転によって前面開口から空気を吸い込み、多数の羽根１０Ｂの間隔から周辺へ吐出する。電動モータ１２はシロッコファン１０内に入り込むように、仕切り板１０Ａの中央部が前方へ窪んでおり、この窪みに位置する状態で、仕切り板１０Ａの中心に電動モータ１２の回転軸に結合された形態である。
【００２３】
ファンケーシング９は、空気の入口７を形成した前壁とその左右から延びた左右側壁を備えて背面が開口した形態である。電動モータ１２は、取り付けネジ１４によって空気調和機本体２の背壁２Ｂの所定位置へ取り付けられ、この状態で、ファンケーシング９を、その背面開口を塞ぐように空気調和機本体２の背壁２Ｂの所定位置に、断熱材５６を介して取り付けネジ１３によって取り付ける。この取り付けによって、シロッコファン１０の前面開口が空気の入口７に対向する。シロッコファン１０は、回転によって、その前面開口が空気の入口７から空気を吸い込み、多数の羽根１０Ｂの間隔から周辺へ空気を吐出し、この吐出された空気は、ファンケーシング９の形状に沿って上方の空気の出口８から上方へ送出される。なお、空気調和機本体２の背壁２Ｂの内面と左右側壁の内面の略全体に亘って断熱材５６、５７が貼着されている。
【００２４】
図４に示すように、熱交換器５は、略等間隔に並列の縦長のアルミニウム製の板状フィン５Ａを冷媒パイプ５Ｂが貫通する形態であり、熱交換器５は、空気流入面がファンケーシング９の空気の出口８の上方で出口８に斜めに相対面するように、下部に対して上部が後方へ傾く傾斜設置であり、上部が空気調和機本体２の背壁２Ｂに近接または当接し、下部が空気調和機本体２の前面開口２Ａに近接するように傾斜設置である。そして、熱交換器５は、左右幅が空気調和機本体２の左右側壁近傍まで達する大きさであり、正面投影状態では、上部前面パネル１１Ｂの略全域に亘る大きさである。この構成は、熱交換面積を広く得るためである。
【００２５】
送風装置６の空気の出口８から上方へ送出される空気が、熱交換器５の空気流入面に広く供給されるようにするために、ファンケーシング９の空気の出口８の左右幅は、略熱交換器５の左右幅に近い寸法を形成している。
【００２６】
図４、図５に示すように、ファンケーシング９の前方において、空気調和機本体２の前面開口２Ａの左右部に渡る取り付け板２９に電装ボックス３０が取り付けられている。電装ボックス３０内には、空気調和機１の電源部やプリント基板等の電気部品を含む制御部３０Ａが収納されている。このため、電装ボックス３０は、空気調和機本体２から前方へ突出状態に設けられている。
【００２７】
上部前面パネル１１Ｂの前壁１１Ｂ１の前面には、空気調和機１の運転状態等をＬＥＤで表示する表示部や、リモートコントローラ６０からの赤外線信号の受信部等を備えた制御パネル部２８が設けられている。制御パネル部２８に対応して上部前面パネル１１Ｂの前壁１１Ｂ１の裏面下部には、ケースに収納されて制御部３０Ａに電気接続された制御部２７が取り付けられている。なお、リモートコントローラ６０に替わって、またはリモートコントローラ６０と併用にて、制御部３０Ａの動作を操作する操作部を制御パネル部２８に併設してもよい。制御部３０Ａの動作は、前記リモートコントローラ６０またはリモートコントローラ６０に替わる前記操作部の操作に基づき行われ、制御部３０Ａによって空気調和機１の運転制御を行う。
【００２８】
上部前面パネル１１Ｂの左右側壁１１Ｂ２には上下方向に長く縦長の窪み４０が形成され、この窪み４０は、下部が閉塞板部４１であり、その上部に縦長の空気吹き出し口４が形成され、窪み４０には、閉じたとき縦長の窪み４０に嵌まって窪み４０を塞ぎ、開いたとき空気吹き出し口４が開放するように、電動モータ１７で駆動される吹き出し口フラップ１９が設けられている。このため、吹き出し口フラップ１９は、閉じたとき窪み４０の全体を塞ぐ大きさに形成されている。これによって、空気調和機１を使用しないときは、吹き出し口フラップ１９が閉じるため、空気吹き出し口４から塵埃やその他のものの侵入を防止できると共に、左右側壁１１Ｂ２と略同一面を形成することにより、外観デザインも向上したものとなる。また、縦長の窪み４０の上下長さの略三分の一が閉塞板部４１であり、略三分の二が空気吹き出し口４であることによって、空気調和に必要な十分な大きさの空気吹き出し口４を上部位置に配置し、デザイン的にも優れたものとなる。
【００２９】
また、下部前面パネル１１Ａの左右側壁１１Ａ２には上下方向に長く縦長の窪み４２が形成され、この窪み４２の上下方向の略全体に亘って空気吸い込み口３が形成され、窪み４２には、閉じたとき縦長の窪み４２に嵌まって窪み４２を塞ぎ、開いたとき空気吸い込み口３が開放するように、電動モータ１１５で駆動される吸い込み口フラップ１６が設けられている。このため、吸い込み口フラップ１６は、閉じたとき窪み４２の全体を塞ぐ大きさに形成されている。これによって、空気調和機１を使用しないときは、吸い込み口フラップ１６が閉じるため、空気吸い込み口３から塵埃やその他のものの侵入を防止できると共に、左右側壁１１Ａ２と略同一面を形成することにより、外観デザインも向上したものとなる。
【００３０】
下部前面パネル１１Ａには、電動モータ１５で駆動される吸い込み口フラップ１６によって各空気吸い込み口３を開閉するフラップ機構を設けている。吸い込み口フラップ１６は、窪み４２の全体を塞ぐ大きさの長尺形状の板状をなし、吸い込み口フラップ１６の両端部は、空気吸い込み口３の長さ方向軸部２３によって回動可能に支持され、その一方の軸部２３が電動モータ１５で駆動される仕組みである。図２、図３に示すように、軸部２３が空気吸い込み口３の前部に位置しており、吸い込み口フラップ１６は、空気吸い込み口３の前部において左右に開く。
【００３１】
このため、左右の空気吸い込み口３から吸い込む空気は、吸い込み口フラップ１６によって横と後方から吸い込まれ、前方からに吸い込みが制限される構成である。このため、空気調和機１の電源が入った状態において、空気調和機１を使う人によって操作されるリモートコントローラ６０等の操作部に設けられた空気調和機１の運転開始スイッチの操作に基づき、吸い込み口フラップ１６が開く。そして、この操作部に設けられた空気調和機１の運転停止スイッチの操作に基づき、吸い込み口フラップ１６が閉じる動作をする。
【００３２】
また、上部前面パネル１１Ｂには、電動モータ１８で駆動される吹き出し口フラップ１９によって各空気吹き出し口４を開閉するフラップ機構を設けている。各吹き出し口フラップ１９は、窪み４０の全体を塞ぐ大きさの長尺形状の板状をなし、吹き出し口フラップ１９の両端部は、空気吹き出し口４の長さ方向軸部２４によって回動可能に支持されている。左右の空気吹き出し口４においては、図２、図３に示すように、軸部２４が空気吹き出し口４の後部に位置しており、一方の軸部２４または図９に一部を示すリンク機構２４Ａが電動モータ１８で駆動されることにより、吹き出し口フラップ１９が開閉する仕組みである。このため、吹き出し口フラップ１９は、空気吹き出し口４の後部において斜め前方へ広がるように左右に開き、左右の空気吹き出し口４から吹き出す空気は、吹き出し口フラップ１９によって後方へ吹き出すことが制限され、前方へ指向されるようになる。
【００３３】
また、上部の空気吹き出し口４においては、一方の軸部２４側においてリンク機構２４Ａを介して電動モータ１８で駆動される仕組みであり、図２、図３に示すように、軸部２４が空気吹き出し口４の後部に位置しており、吹き出し口フラップ１９は、空気吹き出し口４の後部において斜め前方へ広がるように上方に開く。このため、上部の空気吹き出し口４から吹き出す空気は、吹き出し口フラップ１９によって後方へ吹き出すことが制限され、前方へ指向されるようになる。
【００３４】
このような動作は、空気調和機１の電源が入った状態において、前記リモートコントローラ６０等の操作部に設けられた空気調和機１の運転開始スイッチの操作に基づき、制御部３０Ａによって吹き出し口フラップ１９が開く。そして、この操作部に設けられた空気調和機１の運転停止スイッチの操作に基づき、制御部３０Ａによって吹き出し口フラップ１９が閉じる動作をする。
【００３５】
吹き出し口フラップ１９の閉じた位置と開いた位置の位置決めをするために、吹き出し口フラップ１９が閉じたとき、窪み４０の底壁４５に形成した第１位置決めリブ４６に当接したときの電動機１８の負荷電流の検知によって閉じた位置とし、吹き出し口フラップ１９が開いたとき、窪み４０の底壁４５に形成した第２位置決めリブ４７に当接したときの電動機１８の負荷電流の検知によって開いた位置とするように、制御部３０Ａによって電動機１７の回転停止と回転方向の切り替えを制御している。
【００３６】
このため、空気調和機１の電源が入った状態において、先ず、前記リモートコントローラ６０等の操作部に設けられた空気調和機１の運転開始スイッチが操作されると、制御部３０Ａによって空気調和機１の運転開始がすると共に、制御部３０Ａによって電動モータ１８を逆方向回転させるために予め設定した所定数の駆動パルスが入力して、吹き出し口フラップ１９が第１位置決めリブ４６に当接した閉じた状態に戻す動作を行なう。このような動作を行なう理由は、空気調和機１の運転開始時に、吹き出し口フラップ１９が半開き状態のときにも、吹き出し口フラップ１９を一旦スタート位置である閉じた位置に戻すことによって、吹き出し口フラップ１９の開閉制御を正確に行うためである。
【００３７】
このように吹き出し口フラップ１９が第１位置決めリブ４６に当接したとき、上記のように制御部３０Ａによって、電動機１８の負荷電流の検知によって吹き出し口フラップ１９が閉じた位置にあることが判定される。その状態で制御部３０Ａによって、電動モータ１８を正方向回転させるために予め設定した所定数の駆動パルスが入力して、吹き出し口フラップ１９が第２位置決めリブ４７に当接する位置へ開く。このような動作が連続して行なわれる。そして、空気調和機１を停止させるときは、空気調和機１の運転停止スイッチの操作に基づき、制御部３０Ａによって電動モータ１８に逆方向回転させるために予め設定した所定数の駆動パルスが入力して、吹き出し口フラップ１９が第２位置決めリブ４７に当接する位置へ閉じる。
【００３８】
吸い込み口フラップ１６についても、上記同様に、窪み４２の底壁に形成した第１位置決めリブと第２位置決めリブによって、制御部３０Ａによって電動機１５の回転停止と回転方向の切り替えを制御している。
【００３９】
また、左右の空気吹き出し口４には、吹き出し口フラップ１９の内側にあって、電動モータ１７で駆動される吹き出し方向可変フラップ２０によって、空気の吹き出し方向を上下に変更するフラップ機構を設けている。フラップ２０は、左右の空気吹き出し口４の縦方向に略等間隔に配置した複数の板状フラップ（図では６枚）で構成され、各フラップ２０は、上部前面パネル１１Ｂに水平方向軸２１によって回動可能に支持された状態で、一端部を縦方向連結棒２２で連結されている。そして、電動モータ１７によって縦方向連結棒２２を上下方向に駆動することによって（例えば、フラップ２０の一つを駆動することによって縦方向連結棒２２を上下方向に駆動する）、各フラップ２０は、空気の吹き出し方向を上下に変更する。
【００４０】
各フラップ２０の駆動について説明する。空気調和機１の電源が入った状態において、前記リモートコントローラ６０等の操作部に設けられた空気調和機１の運転開始スイッチが操作されると、制御部３０Ａによって、電動モータ１２、室外機５０の圧縮機と熱交換用送風機５１等が始動して、空気調和機１が運転を開始する。この状態で各フラップ２０は略水平状態である。この状態において、風向スイッチを１回操作するごとに、制御部３０Ａによって、電動モータ１７が所定回転して、各フラップ２０が上方または下方に回動して、空気の吹き出し方向を上方または下方に変更する。
【００４１】
これは例えば次のような動作によって達成される。即ち、風向スイッチを１回ＯＮ操作すると、電動モータ１７が所定回転して、各フラップ２０が上方へ１ステップ動作して、空気の吹き出し方向を上向きとする。次に風向スイッチを１回ＯＮ操作すると、電動モータ１７が所定回転して、各フラップ２０が下方へ１ステップ動作して、空気の吹き出し方向を略水平状態にする。次に風向スイッチを１回ＯＮ操作すると、電動モータ１７が所定回転して、各フラップ２０が下方へ１ステップ動作し、空気の吹き出し方向を下向きとする。更に風向スイッチを１回ＯＮ操作すると、電動モータ１７が所定回転して、各フラップ２０が上方へ１ステップ動作して、空気の吹き出し方向を略水平状態にする。このように風向スイッチのＯＮ操作ごとに風向を変更できる。
【００４２】
なお、前記リモートコントローラ６０等の操作部に、自動風向スイッチを設け、この自動風向スイッチをＯＮすることによって、制御部３０Ａによって、電動モータ１７が正方向回転と逆方向回転を繰り返して、各フラップ２０が上下方向に連続可動する状態に構成することもできる。この場合は、空気の吹出し方向が自動的に上下方向に変動することとなる。前記風向スイッチと前記自動風向スイッチは、別個に配置してもよいが、一体化して、手動風向と自動風向の各操作部を前記リモートコントローラ６０等の操作部に設けた構成でもよい。
【００４３】
なお、空気調和機１が運転を開始する時点での各フラップ２０の設定状態は、冷房運転と暖房運転において異なる状態とすることもできる。例えば、冷房運転の場合は略水平状態とし、暖房運転の場合は下向き状態となるように設定しておくこともできる。
【００４４】
上部前面パネル１１Ｂの前壁１１Ｂ１の裏面には、熱交換器５を通過した空気が衝突した後、主として左右と上方へ分流して、それぞれ左右の空気吹き出し口４と上部の空気吹き出し口４から吐出されるため、空気調和機１が冷房運転の場合は、上部前面パネル１１Ｂの前壁１１Ｂ１が冷却されて、その前面や裏面に結露が生じる虞がある。これを防止するために前壁１１Ｂ１の裏面に発泡スチロール等の断熱材２６を貼着している。
【００４５】
湿度の多い環境において空気調和機１が冷房運転される場合、熱交換器５で冷却された冷気が空気吹き出し口４から吹き出すとき、空気吹き出し口４の周辺に結露水が発生し、この結露水が流下して下方の空気吸い込み口３に設けたフィルタ３Ｆやその他の部分を濡らし、また、床置き式空気調和機１が設置された床面を濡らすことが懸念される。
【００４６】
本発明では、この問題に対処するために、空気吹き出し口４の周辺に発生する結露水を熱交換器５から流下する結露水を受けるドレンパン２５で受けるように構成している。このため、上部前面パネル１１Ｂの左右側壁１１Ｂ２の表面（外面）の結露水がドレンパン２５に導入されるように、左右側壁１１Ｂ２を貫通して排水孔４３を形成している。具体的な構成の一つとして、図に示すように、左右の窪み４０の下端部の奥部には、閉塞板部４１の表面を流下する結露水を上部前面パネル１１Ｂの裏側に導くように、それぞれ左右の窪み４０の底壁４５を表側から裏側へ貫通した排水孔４３を形成している。排水孔４３は、閉塞板部４１の下端に沿った長孔で形成され、排水孔４３の下端には導水樋４８が上部前面パネル１１Ｂと一体成形で形成されている。
【００４７】
排水孔４３を流れた結露水は、上部前面パネル１１Ｂの裏側から下方へ流下して、その下方のドレンパン２５へ入る。このため、ドレンパン２５は、排水孔４３に導かれた結露水を受ける位置まで左右幅と前後幅を大きく形成している。
【００４８】
なお、ドレンパン２５を熱交換器５の結露水を受けるのみの前後幅が小さな形態とした場合は、排水孔４３を流れた結露水を導水樋４８に接続したパイプによってドレンパン２５へ導くようにしてもよいが、上部前面パネル１１Ｂを取り外し構成とした場合、上部前面パネル１１Ｂを空気調和機本体２に取り付けるとき、このパイプがドレンパン２５へ的確に位置する組み立てが面倒である。本発明ではそれが解決できる。
【００４９】
このようにドレンパン２５の左右幅と前後幅を大きくことにより、湿度の多い環境において空気調和機１が冷房運転される場合、断熱材２６の表面に結露水が生じた場合にも、その結露水をドレンパン２５で受けるようにできる効果がある。排水孔４３に導かれた結露水と断熱材２６の表面の結露水をドレンパン２５に導くために、図８に示すように、ドレンパン２５は、電装ボックス３０の上方にあって、下部前面パネル１１Ａの上端部に位置して、その前部が下部前面パネル１１Ａの前壁１１Ａ１と左右側壁１１Ａ２間で作る空間に進入するように、前方へ延びた状態である。
【００５０】
部品数の削減や組み立てのし易さ等を考慮して、ドレンパン２５は、ファンケーシング９の上端部にファンケーシング９と一体に設けている。この場合、ファンケーシング９とドレンパン２５は、金属製で構成して一体化することもできるが、製造のし易さとして、ドレンパン２５は、ファンケーシング９の上端部に、合成樹脂製のファンケーシング９の成形と共に一体成形している。
【００５１】
実施例では、上部前面パネル１１Ｂの裏側の断熱材２６の表面の結露水をドレンパン２５に導くために、庇部３１が上部前面パネル１１Ｂの下部からドレンパン２５の上方に張り出すように形成されている。この庇部３１は、上部前面パネル１１Ｂの前壁１１Ｂ１の下端の折り曲げ、または前壁１１Ｂ１に取り付けによって形成され、略上部前面パネル１１Ｂの前壁１１Ｂ１と左右側壁１１Ｂ２に亘る範囲に設けられている。図示のドレンパン２５は、その上部が庇部３１に下面に近接状態で、上部前面パネル１１Ｂの前壁１１Ｂ１と左右側壁１１Ｂ２間で作る空間に進入するように配置している。
【００５２】
この構成によって、排水孔４３に導かれた結露水と断熱材２６の表面の結露水は、庇部３１によってドレンパン２５に導かれ、ドレンパン２５の下方空間に電装ボックス３０が配置されるため、上部前面パネル１１Ｂの裏側を流下または落下する露は、ドレンパン２５で受け止めることができるため、上記のような懸念は解決する。ドレンパン２５の下面には、断熱のために断熱材５９を貼付しており、ドレンパン２５の下面への露つきを防止している。また、ドレンパン２５の左右側壁は、空気調和機本体２の左右側壁に当接しているため、断熱のために断熱材５８が貼着されている。ドレンパン２５内に集められた結露水は、ドレンパン２５の一側部に設けた排水孔２５Ａに接続された排水パイプ（図示せず）から、空気調和機本体２の側面の孔１Ａを通って屋外に排水される。
【産業上の利用可能性】
【００５３】
本発明の空気調和機は、空気調和機１の形態等については、上記実施形態に限定されず、本発明の技術的範囲を逸脱しない限り、種々の空気調和機に適用できるものである。
【図面の簡単な説明】
【００５４】
【図１】本発明に係る床置き式空気調和機の正面図である。（実施例１）
【図２】本発明に係る床置き式空気調和機と室外機の関係を示す斜視図である。（実施例１）
【図３】本発明に係る床置き式空気調和機の空気吸い込み口と空気吹き出し口に設けた開閉フラップが開いた状態の説明用正面斜視図である。（実施例１）
【図４】図１のＡ−Ａ箇所の断面図である。（実施例１）
【図５】本発明に係る床置き式空気調和機の下部前面パネルを開いた状態の空気調和機の前面斜視図である。（実施例１）
【図６】本発明に係る床置き式空気調和機の送風装置と前面パネルの関係を示す背面斜視図である。（実施例１）
【図７】図１のＢ−Ｂ箇所の断面拡大図である。（実施例１）
【図８】本発明に係る床置き式空気調和機のドレンパン部分を説明する縦断側面図である。（実施例１）
【図９】本発明に係る床置き式空気調和機の空気吹き出し口に設けた開閉フラップが開いた状態の拡大正面斜視図である。（実施例１）
【図１０】本発明に係る床置き式空気調和機の空気吹き出し口部の結露水の排水部の拡大図である。（実施例１）
【図１１】本発明に係る床置き式空気調和機の空気吹き出し口部の結露水の排水部を説明する断面図である。（実施例１）
【符号の説明】
【００５５】
１・・・・・床置き式空気調和機
２・・・・・空気調和機本体
２Ａ・・・・前面開口
３・・・・・空気吸い込み口
４・・・・・空気吹き出し口
５・・・・・熱交換器
５Ａ・・・・板状フィン
５Ｂ・・・・冷媒パイプ
６・・・・・送風装置
７・・・・・空気入口
８・・・・・空気出口
９・・・・・ファンケーシング
１０・・・・シロッコファン
１１・・・・前面パネル
１１Ａ・・・下部前面パネル
１１Ｂ・・・上部前面パネル
１２・・・・電動モータ
１６・・・・吸い込み口フラップ
１７・・・・電動モータ
１８・・・・電動モータ
１９・・・・吹き出し口フラップ
２０・・・・吹き出し方向可変フラップ
２５・・・・ドレンパン
２６・・・・断熱材
２７・・・・制御部
２８・・・・制御パネル部
３０・・・・電装ボックス
３０Ａ・・・制御部
３１・・・・庇部
３５・・・・縦フラップ
３６・・・・横フラップ
３８・・・・電動モータ
３９・・・・電動モータ
４０・・・・上部前面パネルの左右の窪み
４１・・・・閉塞板部
４２・・・・下部前面パネルの左右の窪み
４３・・・・排水孔
４５・・・・窪み４０の底壁
４８・・・・導水樋
５０・・・・室外機
６０・・・・リモートコントローラ
【図１】
2008175459.tif 000003
【図２】
2008175459.tif 000004
【図３】
2008175459.tif 000005
【図４】
2008175459.tif 000006
【図５】
2008175459.tif 000007
【図６】
2008175459.tif 000008
【図７】
2008175459.tif 000009
【図８】
2008175459.tif 000010
【図９】
2008175459.tif 000011
【図１０】
2008175459.tif 000012
【図１１】
2008175459.tif 000013